(57)【要約】【課題】虫や塵の侵入および雨水等の浸入を確実に防ぐと共に、ドロップケーブルの取り回し作業の作業効率の向上を図ることができる光ケーブル接続用クロージャを提供する。【解決手段】光ケーブル接続用クロージャ３０のクロージャ本体３１内に配備されるドロップケーブル導出入部４０が、複数のスリット状のケーブル導出入口４３を有する硬質樹脂製であり、このケーブル導出入口４３を開閉可能なスライド式シャッター４５を備えている。これにより、ドロップケーブル８を挿通するケーブル導出入口４３だけシャッター４５を開け、ドロップケーブル８を挿通しないケーブル導出入口４３はシャッター４５を閉めて置くことができる。【選択図】図２
2012123245.tif 000002
【特許請求の範囲】
【請求項１】
少なくとも架空の光ケーブルを導出入する光ケーブル導出入部と、ドロップケーブルを導出入するドロップケーブル導出入部と、前記光ケーブルから引き出した光ファイバ心線と前記ドロップケーブルとを接続する接続部収容トレイとを、クロージャ本体内に配備する光ケーブル接続用クロージャであって、
前記ドロップケーブル導出入部は、スリット状のドロップケーブル導出入口を有する硬質樹脂製であり、該ドロップケーブル導出入口を開閉可能なスライド式シャッターを備えていることを特徴とする光ケーブル接続用クロージャ。
【請求項２】
前記ドロップケーブル導出入口には、前記ドロップケーブルを把持するドロップケーブル把持部が一体に形成されていることを特徴とする請求項１に記載の光ケーブル接続用クロージャ。
【請求項３】
前記ドロップケーブル導出入部は、前記クロージャ本体内に配備された状態で、前記ドロップケーブル把持部が斜め下方に傾斜していることを特徴とする請求項１または２に記載の光ケーブル接続用クロージャ。
【発明の詳細な説明】
【技術分野】
【０００１】
本発明は、架空で光ケーブルとドロップケーブルとを接続する光ケーブル接続用クロージャに関する。
【背景技術】
【０００２】
通常、光ケーブルを用いたネットワークの中で、加入者宅まで直接光ファイバを引き込むＦＴＴＨ（Fiber To The Home）では、図７に示したように、加入者宅の近くで電柱１等により支持された架空の吊線３に吊持させた光ケーブル接続用クロージャ５内で、架空の光ケーブル７から必要心数（１〜２心／加入者宅）を引き落とし、加入者宅に引き込むドロップケーブルに接続する。また、光ケーブル接続用クロージャ５は、架空の吊線３に吊持させる吊持機構９を備えている（特許文献１参照）。
【０００３】
図８に示した従来の光ケーブル接続用クロージャ５は、略箱形のクロージャ本体１１内で該クロージャ本体１１に固定されるフレーム１２と、クロージャ本体１１を開閉可能に覆う蓋体１３とを備えている。このフレーム１２の両端に形成した吊持部１４を電柱等により支持された架空の吊線３に吊持させて、クロージャ本体１１内で光ケーブル７とドロップケーブル８（図９参照）を接続する。
【０００４】
図９に示したクロージャ本体１１内には、架空の光ケーブル７を導出入する光ケーブル導出入部１５と、導出入する光ケーブル７を支持するケーブル保持部１６と、ドロップケーブル８を導出入するドロップケーブル導出入部１７とを備えている。この光ケーブル導出入部１５とドロップケーブル導出入部１７は個別のゴム部品である。
また、光ケーブル７から引き出した光ファイバ心線７ａとドロップケーブル８との接続部を収納する接続部収容トレイ１８と、接続部収容トレイ１８から引き出されるドロップケーブル８を挟んで固定する複数のケーブル把持部２３を縦方向に有するドロップケーブル把持具２０とを備えている。接続部収容トレイ１８は、トレイ支持枠２４に着脱可能に支持されている。
【０００５】
図１０に示したように、ドロップケーブル導出入部１７は、下向き傾斜でドロップケーブル８を通過させるように導出入部支持片２１に取り付けられている。ドロップケーブル導出入部１７には、ドロップケーブル８を割り込ませて挿通させるケーブル挿通穴２２がスリット状に形成されている。
そして、ケーブル挿通穴２２にドロップケーブル８が挿通されたドロップケーブル導出入部１７は、図８に示したクロージャ本体１１の側面下方のスリーブ部分に形成された開口部１９からその一面が露出すると共にドロップケーブル８が導出される。
【先行技術文献】
【特許文献】
【０００６】
【特許文献１】特開２００８−２６２１２８号公報
【発明の概要】
【発明が解決しようとする課題】
【０００７】
従来の光ケーブル接続用クロージャ５では、ドロップケーブル導出入部１７は、スリーブの最外郭に位置しており、ドロップケーブル８に良好な密着性と高いシール性能を確保するために低硬度のゴム材料を使用している。
しかしながら、ドロップケーブル導出入部１７のドロップケーブル８を挿通させないケーブル挿通穴２２は完全には閉塞されてなく、ドロップケーブル導出入部１７が下向き傾斜していても、虫や塵の侵入や横なぐりに吹き付ける雨水等の浸入を防ぐのは難しい。
【０００８】
また、従来の光ケーブル接続用クロージャ５では、光ファイバ心線７ａとドロップケーブル８との接続作業の作業工程が多く、接続後のドロップケーブル８の取り回しの作業効率の改善も望まれている。特に、ドロップケーブル８は、接続部収容トレイ１８に導いてから、張力が掛かっても抜けないようにドロップケーブル把持具２０で固定してから、ドロップケーブル導出入部１７を挿通させる作業に手間が掛かっている。
【０００９】
本発明の目的は、上記課題を解消することに係り、虫や塵の侵入および雨水等の浸入を確実に防ぐと共に、ドロップケーブルの取り回し作業の作業効率の向上を図ることができる光ケーブル接続用クロージャを提供することにある。
【課題を解決するための手段】
【００１０】
上記課題を解決する本発明に係る光ケーブル接続用クロージャは、少なくとも架空の光ケーブルを導出入する光ケーブル導出入部と、ドロップケーブルを導出入するドロップケーブル導出入部と、前記光ケーブルから引き出した光ファイバ心線と前記ドロップケーブルとを接続する接続部収容トレイとを、クロージャ本体内に配備する光ケーブル接続用クロージャであって、前記ドロップケーブル導出入部は、スリット状のドロップケーブル導出入口を有する硬質樹脂製であり、該ドロップケーブル導出入口を開閉可能なスライド式シャッターを備えていることを特徴としている。
【００１１】
上記構成の光ケーブル接続用クロージャによれば、ドロップケーブル導出入部がスリット状のドロップケーブル導出入口を有する硬質樹脂製であり、該ドロップケーブル導出入口を開閉可能なスライド式シャッターを備えているので、ドロップケーブルを挿通するドロップケーブル導出入口だけシャッターを開け、ドロップケーブルを挿通しないドロップケーブル導出入口はシャッターを閉めて置く。これにより、虫や塵等の侵入および雨水等の浸入を確実に防ぐことができる。
【００１２】
また、本発明に係る光ケーブル接続用クロージャは、前記ドロップケーブル導出入口には、前記ドロップケーブルを把持するドロップケーブル把持部が一体に形成されていることを特徴としている。
【００１３】
このように構成された光ケーブル接続用クロージャによれば、ドロップケーブル導出入口にドロップケーブル把持部を有しているので、ドロップケーブルをドロップケーブル把持部内に挿通して固定する作業を容易に行うことができ、作業性の向上を図ることができる。
【００１４】
また、本発明に係る光ケーブル接続用クロージャは、前記ドロップケーブル導出入部が前記クロージャ本体内に配備された状態で、前記ドロップケーブル把持部が斜め下方に傾斜していることを特徴としている。
【００１５】
このように構成された光ケーブル接続用クロージャによれば、ドロップケーブル把持部が斜め下方に傾斜しているので、ドロップケーブルを斜め下方よりストレートにクロージャ本体内に導入することができる。また、ドロップケーブルを斜め下方よりストレートにクロージャ本体外に導出することができるので、ドロップケーブルの湾曲を最小限に抑えることができ、防水性の向上を一層図ることができる。
【発明の効果】
【００１６】
本発明に係る光ケーブル接続用クロージャによれば、ドロップケーブル導出入部がスリット状のドロップケーブル導出入口を有する硬質樹脂製であり、ドロップケーブル導出入口を開閉可能なスライド式シャッターを備えているので、虫や塵等の侵入および雨水等の浸入を確実に防ぐと共に、ドロップケーブルの取り回し作業の作業効率の向上を図ることができる。
【図面の簡単な説明】
【００１７】
【図１】本発明に係る光ケーブル接続用クロージャの第１実施形態を示すクロージャ本体内の斜視図である。
【図２】図１のドロップケーブル導出入部単体を示す斜視図である。
【図３】図２のドロップケーブル導出入部の変形例を示す斜視図である。
【図４】図３のドロップケーブル導出入部のクロージャ本体への取付状態を示す断面図である。
【図５】本発明に係る光ケーブル接続用クロージャの第２実施形態を示すクロージャ本体内の斜視図である。
【図６】図５のドロップケーブル導出入部単体を示す斜視図である。
【図７】従来の光ケーブル接続用クロージャの架空の取付状態を示す説明図である。
【図８】図７の光ケーブル接続用クロージャの外観斜視図である。
【図９】図８のクロージャ本体内を示す斜視図である。
【図１０】図９の要部を示す拡大部分斜視図である。
【発明を実施するための形態】
【００１８】
以下、本発明の第１実施形態である光ケーブル接続用クロージャについて図１〜図４に基づいて説明する。なお、本実施形態のクロージャ本体、クロージャ本体を開閉可能に覆う蓋体および光ケーブルを導出入する光ケーブル導出入部は、上記図８および図９で説明したものに類似した構成であり、クロージャ本体は図４で簡単に説明する程度に留め、蓋体および光ケーブル導出入部の説明は省略する。
【００１９】
図１に示すように、本実施形態の光ケーブル接続用クロージャ３０は、クロージャ本体３１内に、クロージャ本体３１に固定されるフレーム３２と、このフレーム３２の両端部から垂設された導出入する光ケーブル７を支持するケーブル保持部３４とを備えている。また、このケーブル保持部３４の両下端に、光ケーブル７から引き出した光ファイバ心線７ａとドロップケーブル８との接続部である光コネクタを横方向に収納する横型の接続部収容トレイ３６が取り付けられている。
【００２０】
また、接続部収容トレイ３６の下端に、下方へ所定角度に傾斜した導出入部支持片３８が取り付けられており、この導出入部支持片３８の下端部に、ドロップケーブル導出入部４０が取り付けられている。このドロップケーブル導出入部４０によりドロップケーブル８は下向きの所定方向へ導出入される。
【００２１】
図２に示すように、本実施形態のドロップケーブル導出入部４０は、硬質樹脂製であり、把持部本体４１と、この把持部本体４１の一方の端面にシール部４２とを備えている。  把持部本体４１は、下方に開口した複数のドロップケーブル把持部４６（以下、単にケーブル把持部と云う）が横型の接続部収容トレイ３６に対応して横方向に並設されている。このケーブル把持部４６内に、接続部収容トレイ３６から引き出されたドロップケーブル８が下方から挿入されて把持される。
【００２２】
シール部４２は、ケーブル把持部４６に連通し、一方の端面に開口した複数のスリット状のドロップケーブル導出入口４３（以下、単にケーブル導出入口と云う）を有しており、このケーブル導出入口４３を開閉可能にする複数のスライド式のシャッター４５を備えている。この各シャッター４５は、表面中心の幅方向に沿って延設された開閉操作時に触れる操作部４５ａと、裏面上端の両角部に把持部本体４１の上部に形成されたスライド溝４４内に係合する突部４７と、裏面下方の中心部に、ケーブル導出入口４３の端縁にスライド可能に係合するガイド片４８を有している。
【００２３】
シャッター４５のシール機能を説明する。
シャッター４５は、図２中の矢印Ａ位置にあるときは、ケーブル導出入口４３の開口端を閉塞すると共に、矢印Ｂ位置にあるときは、ケーブル導出入口４３の開口端を開放してドロップケーブル８を挿入可能な状態にする。これにより、例えば、複数あるケーブル導出入口４３の内、使用しないケーブル導出入口４３（図中右側２個）においては、シャッター４５を矢印Ａ位置にスライドさせることで、虫や塵の侵入および雨水等の浸入を防止するシール機能を持たせることができる。
【００２４】
また、使用するケーブル導出入口４３（図中左側２個）においては、シャッター４５を矢印Ｂ位置にスライドさせることで、ドロップケーブル８を把持部本体４１の下方からケーブル把持部４６内に挿入して把持することができる。
【００２５】
次に、第１実施形態の光ケーブル接続用クロージャ３０におけるドロップケーブル導出入部４０の変形例を図３および図４に基づいて説明する。なお、ドロップケーブル導出入部４０と同一構成の部分については同一符号を付すことで詳細な説明は省略する。
【００２６】
図３に示すように、ドロップケーブル導出入部６０は、ドロップケーブル８を左右の両側方からケーブル把持部４６内に挿入するタイプである。すなわち、把持部本体６１は、左右両側方に開口した縦２列のケーブル把持部４６が設けられている。このケーブル把持部４６内に、接続部収容トレイ３６から引き出されたドロップケーブル８が把持部本体６１の側方から挿入されて把持される。
【００２７】
このとき、図４に示すように、ケーブル把持部４６を形成する内壁面４６ａには、ドロップケーブル８を固定するための複数の係止リブ４９が対向する位置に突設されている。これにより、ドロップケーブル８をケーブル把持部４６内に挿入することで、ドロップケーブル８はケーブル把持部４６内から抜け出ることはない。
【００２８】
シール部６２は、ケーブル把持部４６に連通し、一方の端面に開口した複数のスリット状のケーブル導出入口４３を有しており、このケーブル導出入口４３を開閉可能にするスライド式のシャッター４５を備えている。このシャッター４５は、図３中の矢印Ｃ又はＥ位置にあるときは、ケーブル導出入口４３の開口端を閉塞すると共に、矢印Ｄ又はＦ位置にあるときは、ケーブル導出入口４３の開口端を開放してドロップケーブル８を挿入可能な状態にする。
【００２９】
例えば、複数あるケーブル導出入口４３の内、使用しないケーブル導出入口４３（図中右側２個）においては、シャッター４５を矢印Ｅ位置にスライドさせることで、シール機能を持たせることができる。また、使用するケーブル導出入口４３（図中左側２個）においては、シャッター４５を矢印Ｄ位置にスライドさせることで、ドロップケーブル８を把持部本体６１の側方から挿入して把持することができる。
【００３０】
次に、光ケーブル接続用クロージャ３０において、ドロップケーブル導出入部６０のクロージャ本体３１への取り付け状態を説明する。
【００３１】
図４に示すように、ドロップケーブル８が所定のケーブル把持部４６内に挿通されたドロップケーブル導出入部６０は、クロージャ本体３１に形成された複数の隔壁３３，３５，３７，３９によって挟持される。また、クロージャ本体３１の側面下方のスリーブ部分の隔壁３３に形成された開口部１９から、ドロップケーブル導出入部６０のシャッター４５が配置された一端面が露出すると共にケーブル導出入口４３から取り出されたドロップケーブル８が導出される。このとき、ドロップケーブル導出入部６０のケーブル把持部４６が斜め下方に傾斜しているので、雨水等の浸入を確実に防ぐと共に、ドロップケーブル８の湾曲を最小限に抑えることができ。
【００３２】
次に、本発明の第２実施形態である光ケーブル接続用クロージャについて図５および図６に基づいて説明する。なお、上記第１実施形態の光ケーブル接続用クロージャ３０と同一構成の箇所には同一符号を付すことで、詳細な説明は省略する。
【００３３】
図５に示すように本実施形態の光ケーブル接続用クロージャ５０は、クロージャ本体内に、クロージャ本体に固定されるフレーム５２と、このフレーム５２の両端部から垂設された導出入する光ケーブル７を支持するケーブル保持部５３とを備えている。また、このケーブル保持部５３の両下端に、下方へ所定角度に傾斜した導出入部支持片５８が取り付けられており、双方の導出入部支持片５８の端部がトレイ支持枠５４により連結されている。
【００３４】
このトレイ支持枠５４上に、光ケーブル７から引き出した光ファイバ心線７ａとドロップケーブル８との接続部である光コネクタを縦方向に保持する縦型の接続部収容トレイ５６が取り付けられている。また、双方の導出入部支持片５８の外側端部に、ドロップケーブル導出入部７０が取り付けられている。このドロップケーブル導出入部７０によりドロップケーブル８は下向きの所定方向へ導出入される。
【００３５】
図６に示すように本実施形態のドロップケーブル導出入部７０は、硬質樹脂製であり、把持部本体７１と、シール部７２とを備えている。把持部本体７１は、側方に開口した縦４列のケーブル把持部４６が縦型の接続部収容トレイ５６に対応して立設されている。このケーブル把持部４６内に、接続部収容トレイ５６から引き出されたドロップケーブル８が把持部本体７１の側方（図中左方向）から挿入されて把持される。
【００３６】
シール部７２は、ケーブル把持部４６に連通し、一方の端面に開口した複数のスリット状のケーブル導出入口４３を有しており、このケーブル導出入口４３を開閉可能にするスライド式のシャッター４５を備えている。このシャッター４５は、図６中の矢印Ｇ位置にあるときは、ケーブル導出入口４３の開口端を閉塞すると共に、矢印Ｈ位置にあるときは、ケーブル導出入口４３の開口端を開放してドロップケーブル８を挿入可能な状態にする。
【００３７】
これにより、例えば、複数あるケーブル導出入口４３の内、使用しないケーブル導出入口４３（図中下側２個）においては、シャッター４５を矢印Ｇ位置にスライドさせることで、シール機能を持たせることができる。また、使用するケーブル導出入口４３（図中上側２個）においては、シャッター４５を矢印Ｈ位置にスライドさせることで、ドロップケーブル８を把持部本体７１の側方から挿入して把持することができる。このとき、ドロップケーブル８は複数の係止リブ４９によって挟持されるのでケーブル把持部４６内から抜け出ることはない。
【００３８】
上述したように本実施形態の光ケーブル接続用クロージャ３０，５０によれば、複数のスリット状のケーブル導出入口４３を有する硬質樹脂製のドロップケーブル導出入部４０，６０，７０がケーブル導出入口４３を開閉可能なスライド式シャッター４５を備えているので、ドロップケーブル８を挿通するケーブル導出入口４３だけシャッター４５を開け、ドロップケーブル８を挿通しないケーブル導出入口４３はシャッター４５を閉めて置く。これにより、虫や塵等の侵入および雨水等の浸入を確実に防ぐことができる。
【００３９】
また、ドロップケーブル導出入部４０，６０，７０がケーブル導出入口４３にケーブル把持部４６を有しているので、ドロップケーブル８をケーブル把持部４６に挿通して固定する作業を容易に行うことができ、作業性の向上を図ることができる。
【００４０】
また、ドロップケーブル導出入部４０，６０，７０がクロージャ本体３１内に配備された状態で、ケーブル把持部４６が斜め下方に傾斜しているので、ドロップケーブル８を斜め下方よりストレートにクロージャ本体３１内に導入することができる。また、ドロップケーブル８を斜め下方よりストレートにクロージャ本体３１外に導出することができるので、ドロップケーブル８の湾曲を最小限に抑えることができ、防水性の向上を一層図ることができる。
【００４１】
なお、本発明の光ケーブル接続用クロージャは、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
【符号の説明】
【００４２】
３０，５０…光ケーブル接続用クロージャ、３１…クロージャ本体、３６，５６…接続部収容トレイ、４０，６０，７０…ドロップケーブル導出入部、４１，６１，７１…把持部本体、４２，６２，７２…シール部、４３…ドロップケーブル導出入口、４５…シャッター、４６…ドロップケーブル把持部
【図１】
2012123245.tif 000003
【図２】
2012123245.tif 000004
【図３】
2012123245.tif 000005
【図４】
2012123245.tif 000006
【図５】
2012123245.tif 000007
【図６】
2012123245.tif 000008
【図７】
2012123245.tif 000009
【図８】
2012123245.tif 000010
【図９】
2012123245.tif 000011
【図１０】
2012123245.tif 000012